(57)【要約】【課題】光音響画像生成装置において、２つのレーザ動作モードを切り替えて使用可能にする。【解決手段】トリガ制御回路２４は、レーザユニット１３にレーザトリガ信号を出力する。トリガコントローラ３１は、第１の動作モードではトリガ信号に対して不定のタイミングでＱ−ＳＷトリガ信号を出力すると共に同期信号を出力する。また、第２の動作モードではトリガ信号に対して一定のタイミングでＱ−ＳＷトリガ信号を出力する。ＡＤ変換手段２２は、プローブ１１で検出された光音響信号をサンプリングする。サンプリング制御回路２５は、第１の動作モードでは同期信号に同期してＡＤ変換手段２２におけるサンプリングを開始させる。また、第２の動作モードでは、レーザトリガ信号に同期してＡＤ変換手段２２におけるサンプリングを開始させる。【選択図】図１
2012187390.tif 000002
【特許請求の範囲】
【請求項１】
光出射を指示する旨のトリガ信号を出力するトリガ制御回路と、
第１の動作モードと第２の動作モードとで動作し、第１の動作モードでは前記トリガ信号に対して不定のタイミングで光出射を行うと共に光出射タイミングを示す同期信号を出力し、第２の動作モードでは前記トリガ信号に対して一定のタイミングで光出射を行う光源ユニットと、
前記光源ユニットから出射した光が被検体に照射された後に、被検体内で発生した光音響信号を検出する信号検出手段と、
前記検出された光音響信号をサンプリングするサンプリング手段と、
前記サンプリングされた光音響信号に基づいて光音響断層画像を生成する断層画像生成手段と、
前記光源ユニットが第１の動作モードで動作するときは、前記同期信号に同期して前記サンプリング手段における光音響信号のサンプリングを開始させ、前記光源ユニットが第２の動作モードで動作するときは、前記トリガ信号に同期して前記サンプリング手段における光音響信号のサンプリングを開始させるサンプリング制御回路とを備えたことを特徴とする光音響画像生成装置。
【請求項２】
前記光源ユニットがトリガコントローラとＱスイッチレーザとを含み、前記トリガコントローラが、前記トリガ制御回路から出力されたトリガ信号を受け取ると前記Ｑスイッチレーザの励起を開始し、前記第１の動作モードでは励起が開始されてから不定のタイミングでＱスイッチを制御するものであり、前記第２の動作モードでは励起開始から一定のタイミングでＱスイッチを制御するものであることを特徴とする請求項１に記載の光音響画像生成装置。
【請求項３】
前記トリガコントローラが、前記第１の動作モードではＱスイッチを制御するタイミングを示す信号を同期信号として出力するものであることを特徴とする請求項２に記載の光音響画像生成装置。
【請求項４】
前記光源ユニットが、光出射時に出射光の量をモニタし、前記第１の動作モードでは前回の光出射時にモニタした光の量に基づいて前記光出射のタイミングを決定するものであることを特徴とする請求項１から３何れかに記載の光音響画像生成装置。
【請求項５】
前記光源ユニットの動作モードを、前記第１の動作モードと前記第２の動作モードとの間で切り替えるモード切替手段を更に備えたことを特徴とする請求項１から４何れかに記載の光音響画像生成装置。
【請求項６】
光音響の３次元情報を示す光音響ボリュームデータの生成を行うとき、前記モード切替手段が、前記光源ユニットの動作モードを前記第２の動作モードに設定するものであることを特徴とする請求項５に記載の光音響画像生成装置。
【請求項７】
前記光音響ボリュームデータの生成では、前記信号検出手段が走査され、前記サンプリング手段が複数の走査位置で検出された光音響信号をサンプリングすることを特徴とする請求項６に記載の光音響画像生成装置。
【請求項８】
前記複数の走査位置のそれぞれで、前記光音響信号の発生源を深さ方向に投影した光音響投影画像を生成する投影画像生成手段を更に備えたことを特徴とする請求項７に記載の光音響画像生成装置。
【請求項９】
前記投影画像生成手段が、前記走査が完了する前に、各走査位置で検出された光音響信号に基づいて、前記光音響投影画像の当該走査位置に対応する部分を生成するものであることを特徴とする請求項８に記載の光音響画像生成装置。
【請求項１０】
前記投影画像生成手段が、前記検出された光音響信号の絶対値を前記深さ方向に積分し、該積分された光音響信号に基づいて前記光音響投影画像の当該走査位置に対応する部分を生成するものであることを特徴とする請求項９に記載の光音響画像生成装置。
【請求項１１】
前記投影画像生成手段が、前記信号検出手段の走査と並行して、前記光音響投影画像の生成を行うものであることを特徴とする請求項９又は１０に記載の光音響画像生成装置。
【請求項１２】
前記複数の走査位置のそれぞれで、被検体に送信された超音波に対する反射超音波信号の検出を行い、光音響ボリュームデータに加えて、反射超音波の３次元情報を示す超音波ボリュームデータの生成を行うことを特徴とする請求項７から１１に記載の光音響画像生成装置。
【請求項１３】
前記投影画像生成手段が、前記音響投影画像に代えて、又はこれに加えて、前記複数の走査位置のそれぞれで、前記反射超音波信号を深さ方向に投影した超音波投影画像を生成するものであることを特徴とする請求項１２に記載の光音響画像生成装置。
【請求項１４】
前記信号検出手段を所定の走査方向に走査する走査機構を更に備えたことを特徴とする請求項７から１３に記載の光音響画像生成装置。
【請求項１５】
前記走査機構が、前記信号検出手段を保持する保持部と、該保持部を所定の走査方向に移動させる移動手段とを含むことを特徴とする請求項１４に記載の光音響画像生成装置。
【請求項１６】
光出射を指示する旨のトリガ信号を、第１の動作モードと第２の動作モードとの何れかで動作可能な光源ユニットに出力するステップと、
前記光源ユニットが、第１の動作モードでは前記トリガ信号に対して不定のタイミングで光を出射すると共に光出射を示す同期信号を出力し、第２の動作モードでは前記トリガ信号に対して一定のタイミングで光を出射するステップと、
前記光源ユニットから出射した光が被検体に照射された後に、被検体内で発生した光音響信号を検出するステップと、
前記光源ユニットが第１の動作モードで動作するときは、前記同期信号に同期して前記光音響信号のサンプリングを開始し、前記光源ユニットが第２の動作モードで動作するときは、前記トリガ信号に同期して前記光音響信号のサンプリングを開始するステップと、
前記サンプリングされた光音響信号に基づいて光音響断層画像を生成するステップとを有する光音響画像生成方法。
【発明の詳細な説明】
【技術分野】
【０００１】
本発明は、光音響画像生成装置に関し、更に詳しくは、被検体にレーザ光を照射し、レーザ光照射により被検体内で生じた超音波を検出する光音響画像生成装置に関する。
【背景技術】
【０００２】
生体内部の状態を非侵襲で検査できる画像検査法の一種として、超音波検査法が知られている。超音波検査では、超音波の送信及び受信が可能な超音波探触子を用いる。超音波探触子から被検体（生体）に超音波を送信させると、その超音波は生体内部を進んでいき、組織界面で反射する。超音波探触子でその反射音波を受信し、反射超音波が超音波探触子に戻ってくるまでの時間に基づいて距離を計算することで、内部の様子を画像化することができる。
【０００３】
また、光音響効果を利用して生体の内部を画像化する光音響イメージングが知られている。一般に光音響イメージングでは、パルスレーザ光を生体内に照射する。生体内部では、生体組織がパルスレーザ光のエネルギーを吸収し、そのエネルギーによる断熱膨張により超音波（光音響信号）が発生する。この光音響信号を超音波プローブなどで検出し、検出信号に基づいて光音響画像を構成することで、光音響信号に基づく生体内の可視化が可能である。
【０００４】
ここで、光音響に基づく生体情報測定装置が特許文献１に記載されている。特許文献１に記載の生体情報測定装置は、光源と、光源の光量や点灯タイミングを制御する制御手段と、生体情報を測定する生体情報センサと、センサで検出された信号に基づいて生体情報の特徴量を推定する特徴量推定手段とを備えている。生体情報測定装置では、患者が測定を開始すると、増幅手段やＡ／Ｄ変換手段などが起動され、それらが安定動作に入るのと同じタイミングで光源の点灯タイミング及び光量が制御され、光源が点灯する。
【先行技術文献】
【特許文献】
【０００５】
【特許文献１】特開２００９−３９２６８号公報
【発明の概要】
【発明が解決しようとする課題】
【０００６】
特許文献１には、制御手段が光源の点灯タイミングを制御したとき、その制御信号に対してどのようなタイミングで実際に光照射が行われるかについての記載はない。仮に、制御信号に対して一定のタイミングで光照射を行うとすると、タイミングの制御はし易いものの、出射するレーザ光の光量が最適化されるとは限らない。逆に、出射するレーザ光の光量の最適化を図ると、制御信号に対してレーザ出射タイミングが不定となる。従来、これら２つのレーザ出射タイミング（レーザ動作モード）を切り換えて使用することはなされていなかった。
【０００７】
本発明は、上記に鑑み、２つのレーザ動作モードを切り替えて使用可能な光音響画像生成装置を提供することを目的とする。
【課題を解決するための手段】
【０００８】
上記目的を達成するために、本発明は、光出射を指示する旨のトリガ信号を出力するトリガ制御回路と、第１の動作モードと第２の動作モードとで動作し、第１の動作モードでは前記トリガ信号に対して不定のタイミングで光出射を行うと共に光出射タイミングを示す同期信号を出力し、第２の動作モードでは前記トリガ信号に対して一定のタイミングで光出射を行う光源ユニットと、前記光源ユニットから出射した光が被検体に照射された後に、被検体内で発生した光音響信号を検出する信号検出手段と、前記検出された光音響信号をサンプリングするサンプリング手段と、前記サンプリングされた光音響信号に基づいて断層画像を生成する光音響画像生成手段と、前記光源ユニットが第１の動作モードで動作するときは、前記同期信号に同期して前記サンプリング手段における光音響信号のサンプリングを開始させ、前記光源ユニットが第２の動作モードで動作するときは、前記トリガ信号に同期して前記サンプリング手段における光音響信号のサンプリングを開始させるサンプリング制御回路とを備えることを特徴とする光音響画像生成装置を提供する。
【０００９】
本発明では、前記光源ユニットがトリガコントローラとＱスイッチレーザとを含み、前記トリガコントローラが、前記トリガ制御回路から出力されたトリガ信号を受け取ると前記Ｑスイッチレーザの励起を開始し、前記第１の動作モードでは励起が開始されてから不定のタイミングでＱスイッチを制御し、前記第２の動作モードでは励起開始から一定のタイミングでＱスイッチを制御する構成を採用できる。
【００１０】
前記トリガコントローラが、前記第１の動作モードではＱスイッチを制御するタイミングを示す信号を同期信号として出力することとすることができる。
【００１１】
前記光源ユニットが、光出射時に出射光の量をモニタし、前記第１の動作モードでは前回の光出射時にモニタした光の量に基づいて前記光出射のタイミングを決定する構成としてもよい。
【００１２】
本発明の光音響画像生成装置が、前記光源ユニットの動作モードを、前記第１の動作モードと前記第２の動作モードとの間で切り替えるモード切替手段を更に備えた構成を採用してもよい。
【００１３】
本発明では、光音響の３次元情報を示す光音響ボリュームデータの生成を行うとき、前記モード切替手段が、前記光源ユニットの動作モードを前記第２の動作モードに設定するものとしてもよい。
【００１４】
上記の光音響ボリュームデータの生成では、前記信号検出手段が走査され、前記サンプリング手段が複数の走査位置で検出された光音響信号をサンプリングすることとしてもよい。
【００１５】
本発明の光音響画像生成装置が、前記複数の走査位置のそれぞれで、前記光音響信号の発生源を深さ方向に投影した光音響投影画像を生成する投影画像生成手段を更に備えていてもよい。
【００１６】
前記投影画像生成手段が、前記走査が完了する前に、各走査位置で検出された光音響信号に基づいて、前記光音響投影画像の当該走査位置に対応する部分を生成するものであってもよい。
【００１７】
前記投影画像生成手段が、前記検出された光音響信号の絶対値を前記深さ方向に積分し、該積分された光音響信号に基づいて前記光音響投影画像の当該走査位置に対応する部分を生成するものとすることができる。
【００１８】
前記投影画像生成手段が、前記信号検出手段の走査と並行して、前記光音響投影画像の生成を行ってもよい。
【００１９】
前記複数の走査位置のそれぞれで、被検体に送信された超音波に対する反射超音波信号の検出を行い、光音響ボリュームデータに加えて、反射超音波の３次元情報を示す超音波ボリュームデータの生成を行うこことしてもよい。
【００２０】
前記投影画像生成手段が、前記音響投影画像に代えて、又はこれに加えて、前記複数の走査位置のそれぞれで、前記反射超音波信号を深さ方向に投影した超音波投影画像を生成してもよい。
【００２１】
本発明の光音響画像生成装置が、前記信号検出手段を所定の走査方向に走査する走査機構を更に備えていてもよい。
【００２２】
前記走査機構が、前記信号検出手段を保持する保持部と、該保持部を所定の走査方向に移動させる移動手段とを含んでいてもよい。
【００２３】
本発明は、また、光出射を指示する旨のトリガ信号を、第１の動作モードと第２の動作モードとの何れかで動作可能な光源ユニットに出力するステップと、前記光源ユニットが、第１の動作モードでは前記トリガ信号に対して不定のタイミングで光を出射すると共に光出射を示す同期信号を出力し、第２の動作モードでは前記トリガ信号に対して一定のタイミングで光を出射するステップと、前記光源ユニットから出射した光が被検体に照射された後に、被検体内で発生した光音響信号を検出するステップと、前記光源ユニットが第１の動作モードで動作するときは、前記同期信号に同期して前記光音響信号のサンプリングを開始し、前記光源ユニットが第２の動作モードで動作するときは、前記トリガ信号に同期して前記光音響信号のサンプリングを開始するステップと、前記サンプリングされた光音響信号に基づいて光音響断層画像を生成するステップとを有する光音響画像生成方法を提供する。
【発明の効果】
【００２４】
本発明の光音響画像生成装置は、トリガ信号に対して不定のタイミングで光出射を行う第１の動作モードと、トリガ信号に対して一定のタイミングで光出射を行う第２の動作モードとを切り替えることができる。例えば第１の動作モードにおいて、レーザ出射タイミングを最適化することで、被検体に照射される光の量を最大化できる。その結果、光音響信号の信号レベル低下を防ぐことができ、良好な光音響画像を生成できる。一方、第２の動作モードでは、一定のタイミングで被検体に光を照射できることから、タイミングを優先した画像生成を行うことができる。
【図面の簡単な説明】
【００２５】
【図１】本発明の第１実施形態の光音響画像生成装置を示すブロック図。
【図２】レーザマスターモードにおける動作手順を示すフローチャート。
【図３】超音波マスターモードにおける動作手順を示すフローチャート。
【図４】本発明の第２実施形態の光音響画像生成装置を示すブロック図。
【図５】プローブ走査機構の構成例を示す図。
【図６】投影画像生成部及び断層画像生成部を示すブロック図。
【発明を実施するための形態】
【００２６】
以下、図面を参照し、本発明の実施の形態を詳細に説明する。図１は、本発明の第１実施形態の光音響画像生成装置を示す。光音響画像生成装置（光音響画像診断装置）１０は、超音波探触子（プローブ）１１、超音波ユニット１２、及びレーザ光源（レーザユニット）１３を備える。光音響画像診断装置１０は、超音波画像と光音響画像との双方を生成可能である。レーザユニット（光源ユニット）１３は、光音響画像生成の際に、被検体に照射するレーザ光を生成する。レーザ光の波長は、観察対象物に応じて適宜設定すればよい。レーザユニット１３から出射したレーザ光は、例えば光ファイバなどの導光手段を用いてプローブ１１まで導光され、プローブ１１から被検体に照射される。
【００２７】
プローブ１１は、信号検出手段であり、被検体に対する超音波の出力（送信）、及び被検体からの超音波の検出（受信）を行う。プローブ１１は、例えば一次元的に配列された複数の超音波振動子を有する。プローブ１１は、超音波画像の生成時は複数の超音波振動子から超音波を出力し、出力された超音波に対する反射超音波（以下、反射音響信号とも呼ぶ）を検出する。プローブ１１は、光音響画像生成時は、被検体内の測定対象物がレーザユニット１３からのレーザ光を吸収することで生じた超音波（以下、光音響信号とも呼ぶ）を検出する。
【００２８】
超音波ユニット１２は、受信回路２１、ＡＤ変換手段２２、画像生成手段２３、トリガ制御回路２４、サンプリング制御回路２５、制御手段２６、送信制御回路２７、及びモード切替回路２８を有する。受信回路２１は、プローブ１１が有する複数の超音波振動子が検出した超音波（光音響信号又は反射音響信号）を受信する。ＡＤ変換手段２２は、サンプリング手段であり、受信回路２１が受信した超音波信号をデジタル信号に変換する。ＡＤ変換手段２２は、例えば外部から入力されるＡＤクロック信号に同期して、所定のサンプリング周期で超音波信号をサンプリングする。
【００２９】
画像生成手段（断層画像生成手段）２３は、ＡＤ変換手段２２でサンプリングされた超音波に基づいて断層画像を生成する。画像生成手段２３は、プローブ１１で検出された光音響信号に基づいて光音響画像を生成すると共に、プローブ１１で検出された反射音響信号に基づいて超音波画像を生成する。画像生成手段２３は、画像再構成手段２３１、検波手段２３２、対数変換手段２３３、及び画像構築手段２３４を含む。画像生成手段２３内の各部の機能は、コンピュータが所定のプログラムに従って処理を動作することで実現できる。なお、図１では光音響画像と超音波画像とを同じ画像生成手段２３で生成することとしているが、光音響画像と超音波画像とを別個の画像生成手段（光音響画像生成手段と超音波画像生成手段）で生成するようにしてもよい。
【００３０】
画像再構成手段２３１は、プローブ１１の複数の超音波振動子で検出された超音波信号に基づいて、断層画像の各ラインのデータを生成する。画像再構成手段２３１は、例えばプローブ１１の６４個の超音波振動子からのデータを、超音波振動子の位置に応じた遅延時間で加算し、１ライン分のデータを生成する（遅延加算法）。画像再構成手段２３１は、遅延加算法に代えて、ＣＢＰ法（Circular Back Projection）により再構成を行ってもよい。あるいは画像再構成手段２３１は、ハフ変換法又はフーリエ変換法を用いて再構成を行ってもよい。
【００３１】
検波手段２３２は、画像再構成手段２３１が出力する各ラインのデータの包絡線を出力する。対数変換手段２３３は、検波手段２３２が出力する包絡線を対数変換し、ダイナミックレンジを広げる。画像構築手段２３４は、対数変換が施された各ラインのデータに基づいて、断層画像を生成する。画像構築手段２３４は、例えば超音波信号（ピーク部分）の時間軸方向の位置を、断層画像における深さ方向の位置に変換して断層画像を生成する。画像表示手段１４は、画像構築手段２３４が生成した断層画像を、表示モニタなどに表示する。
【００３２】
制御手段２６は、超音波ユニット１２内の各部を制御する。制御手段２６は、超音波画像又は光音響画像の生成開始をトリガ制御回路２４に伝える。トリガ制御回路２４は、超音波画像の生成時は、送信制御回路２７に超音波送信を指示する旨の超音波送信トリガ信号を送る。送信制御回路２７は、トリガ信号を受けると、プローブ１１から超音波を送信させる。超音波の送信は、必ずしもプローブ１１から行う必要はなく、超音波送信をプローブ１１以外の場所から行ってもよい。一方、トリガ制御回路２４は、光音響画像の生成時は、レーザユニット１３に対して光出射を指示する旨のレーザトリガ信号を送る。レーザユニット１３は、レーザトリガ信号を受けた後にレーザ光を出射する。
【００３３】
ここで、レーザユニット１３は、レーザマスターモード（第１の動作モード）と、超音波マスターモード（第２の動作モード）との２つの動作モードで動作する。レーザユニット１３は、レーザマスターモードでは、超音波ユニット１２からのレーザトリガ信号に対して不定のタイミングで光出射を行う。また、光出射タイミングを示す同期信号を超音波ユニット１２に出力する。レーザユニット１３は、超音波マスターモードでは、超音波ユニット１２からのレーザトリガ信号に対して一定のタイミングで光出射を行う。
【００３４】
サンプリング制御回路２５は、ＡＤ変換手段２２にＡＤトリガ信号を出力し、ＡＤ変換手段２２におけるサンプリング開始タイミングを制御する。ＡＤ変換手段２２は、ＡＤトリガ信号を受け取るとサンプリングを開始する。サンプリング制御回路２５は、超音波画像の生成時は、超音波送信トリガ信号の出力タイミングと一定の時間関係にある所定のタイミングでＡＤ変換手段２２にＡＤトリガ信号を送る。言い換えると、サンプリング制御回路２５は、超音波送信トリガ信号と同期して、ＡＤ変換手段２２における反射音響信号のサンプリングを開始させる。
【００３５】
サンプリング制御回路２５は、光音響画像の生成時は、レーザユニット１３の動作モードがレーザマスターモードであれば、レーザユニット１３から同期信号を受信したタイミングと一定の時間関係にある所定のタイミングでＡＤ変換手段２２にＡＤトリガ信号を送る。言い換えると、サンプリング制御回路２５は、同期信号の受信に同期して、ＡＤ変換手段２２における光音響信号のサンプリングを開始させる。サンプリング制御回路２５は、レーザユニット１３の動作モードが超音波マスターモードであれば、レーザトリガ信号の出力タイミングと一定の時間関係にある所定のタイミングでＡＤ変換手段２２にＡＤトリガ信号を送る。言い換えると、サンプリング制御回路２５は、レーザトリガ信号に同期して、ＡＤ変換手段２２における光音響信号のサンプリングを開始させる。
【００３６】
モード切替回路（モード切替手段）２８は、レーザユニット１３の動作モード（レーザ動作モード）を、レーザマスターモードと超音波マスターモードとの間で切り替える。モード切替回路２８は、例えばユーザからの指示に基づいて、レーザユニット１３の動作モードを切り替える。ユーザは、自身の好みや画像生成の目的に応じて、任意に動作モードを選択できる。モード切替回路２８は、例えば光音響画像の生成条件や目的に基づいて、レーザユニット１３の動作モードを自動で切り替えてもよい。例えばモード切替回路２８は、断層画像観察時はレーザマスターモードに設定し、ボリュームデータ取得時は超音波マスターモードに設定することができる。
【００３７】
レーザユニット１３は、トリガコントローラ３１とＱスイッチレーザ３２とを有する。Ｑスイッチレーザ３２は、励起光源であるフラッシュランプ３２１と、レーザ発振を制御するＱスイッチ３２２とを含む。トリガコントローラ３１は、超音波ユニット１２からのレーザトリガ信号が入力されると、フラッシュランプ３２１を点灯させ、図示しないレーザ媒質の励起を開始させる。トリガコントローラ３１は、動作モードがレーザマスターモードであれば、励起が開始されてから不定のタイミングでＱスイッチ３２２をオンさせるためのＱ−ＳＷトリガ信号を出力し、Ｑスイッチレーザ３２からレーザ光を出射させる。トリガコントローラ３１は、動作モードが超音波マスターモードであれば、励起が開始されてから一定のタイミングでＱ−ＳＷトリガ信号を出力し、Ｑスイッチレーザ３２からレーザ光を出射させる。
【００３８】
トリガコントローラ３１は、レーザマスターモードでは、例えばレーザ出射タイミングの最適化を図り、高いレーザ出力が得られるタイミングでＱスイッチ３２２の制御を行う。トリガコントローラ３１は、例えば光出射時に出射光の光量をモニタし、前回の光出射時にモニタした光量に基づいて、より高いレーザ出力が得られるように、レーザトリガ信号に対するＱスイッチの制御タイミングを決定する。レーザマスターモードでは、レーザ出射タイミングの最適化を図ることで、レーザユニット１３がレーザトリガ信号を受け取ってからレーザ出射を行うまでの間の時間が不定となる。一方、超音波マスターユニットでは、トリガコントローラ３１がレーザトリガ信号から一定の時間が経過したときにＱスイッチ３２２を制御するため、レーザユニット１３がレーザトリガ信号を受け取ってからレーザ出射を行うまでの間の時間は一定時間となる。
【００３９】
トリガコントローラ３１は、レーザマスターモードでは、Ｑスイッチ３２２を制御するタイミングを示す信号を、同期信号として出力する。超音波ユニット１２は、レーザユニット１３から出力される同期信号により、レーザユニット１３からどのタイミングで光が出射するかを知ることができる。サンプリング制御回路２５は、同期信号の出力タイミングから定まる光出射タイミングに合わせて、ＡＤ変換手段２２におけるサンプリングを開始させる。一方、超音波マスターモードでは、光出射タイミングは一定のタイミングになるため同期信号は不要であり、サンプリング制御回路２５は、レーザトリガ信号の出力タイミングから定まる光出射タイミングに合わせて、ＡＤ変換手段２２におけるサンプリングを開始させる。
【００４０】
図２は、レーザ動作モードがレーザマスターモードであるときの動作手順を示す。トリガ制御回路２４は、レーザユニットにレーザトリガ信号を送信する（ステップＡ１）。レーザユニット１３のトリガコントローラ３１は、Ｑスイッチレーザ３２のフラッシュランプ３２１を点灯し、レーザ媒質の励起を開始する（ステップＡ２）。トリガコントローラ３１は、レーザトリガ信号の受信タイミングとは不定の関係にあるタイミングでＱスイッチ３２２にＱ−ＳＷトリガ信号を出力する（ステップＡ３）。Ｑスイッチ３２２は、Ｑ−ＳＷトリガ信号が入力されるとオンし、Ｑスイッチレーザ３２がレーザ発振して、被検体にパルスレーザ光が照射される。トリガコントローラ３１は、Ｑスイッチ３２２がオンするタイミングに合わせて、超音波ユニット１２に同期信号を出力する（ステップＡ４）。
【００４１】
被検体内では、照射されたパルスレーザ光による光音響信号が発生する。プローブ１１は、被検体内で生じた光音響信号を検出する（ステップＡ５）。サンプリング制御回路２５は、同期信号に同期して、ＡＤ変換手段２２にＡＤトリガ信号を出力する（ステップＡ６）。ＡＤ変換手段２２は、ＡＤトリガ信号が入力されると、外部から入力されるＡＤクロック信号に同期して、受信回路２１を介して入力される光音響信号をサンプリングする。画像生成手段２３は、サンプリングされた光音響信号に基づいて光音響画像を生成する（ステップＡ７）。画像表示手段１４は、生成された光音響画像を表示画面上に表示する（ステップＡ８）。
【００４２】
図３は、レーザ動作モードが超音波マスターモードであるときの動作手順を示す。トリガ制御回路２４は、レーザユニットにレーザトリガ信号を送信する（ステップＢ１）。レーザユニット１３のトリガコントローラ３１は、Ｑスイッチレーザ３２のフラッシュランプ３２１を点灯し、レーザ媒質の励起を開始する（ステップＢ２）。トリガコントローラ３１は、レーザトリガ信号の受信タイミングと一定の関係にあるタイミングでＱスイッチ３２２にＱ−ＳＷトリガ信号を出力する（ステップＢ３）。Ｑスイッチ３２２はＱ−ＳＷトリガ信号が入力されるとオンし、Ｑスイッチレーザ３２がレーザ発振して、被検体にパルスレーザ光が照射される。
【００４３】
被検体内では、照射されたパルスレーザ光による光音響信号が発生する。波プローブ１１は、被検体内で生じた光音響信号を検出する（ステップＢ４）。サンプリング制御回路２５は、レーザトリガ信号に同期して、ＡＤ変換手段２２にＡＤトリガ信号を出力する（ステップＢ５）。ＡＤ変換手段２２は、ＡＤトリガ信号が入力されると、外部から入力されるＡＤクロック信号に同期して、受信回路２１を介して入力される光音響信号をサンプリングする。画像生成手段２３は、サンプリングされた光音響信号に基づいて光音響画像を生成する（ステップＢ６）。画像表示手段１４は、生成された光音響画像を表示画面上に表示する（ステップＢ７）。
【００４４】
レーザマスターモードでは、レーザ出射タイミングの最適化を図ることで、被検体に照射される光の量を多くすることができる。被検体に照射する光を最大化することで、生成される光音響画像の画質を向上することができる。しかしながら、光音響画像を繰り返し生成することを考えると、レーザユニット１３に対するレーザトリガ信号の出力タイミングからレーザが実際に発光するまでの間の時間が一定にはならないため、光音響画像を動画表示する際に、フレームレートに変動が生じる。
【００４５】
一方、超音波マスターモードでは、レーザ出射タイミングは一定のタイミングであるため、必ずしも最適条件でレーザが発光せず、被検体に照射される光の量はレーザマスターモード時よりも少し減少することがある。このため、レーザマスターモードに比して、検出される光音響信号の信号レベルは少し低下する。しかしながら、レーザ出射タイミングが一定のタイミングとなるため、例えば光音響画像を動画表示する際にフレームレートを一定のレートに固定できる。また、超音波ユニット１２が、いつレーザが発光するかを予測することができるため、同期信号も不要である。
【００４６】
ユーザは、例えば光音響画像の画質を優先したいときは、レーザ動作モードをレーザマスターモードに設定する。この場合、レーザユニット１３は、最適化された条件でレーザ光を出射することができ、光音響信号の信号レベル低下を防止することができる。その結果として、超音波ユニット１２において画質の高い光音響画像を生成できる。ユーザは、例えばタイミングを優先したいときは、レーザ動作モードを超音波マスターモードに設定する。この場合、レーザユニット１３から被検体へのレーザ照射タイミングを一定に保つことができ、一定の周期で光音響画像を生成できる。その結果、光音響画像を動画表示する際に、一定のフレームレートで光音響画像を表示することができる。本実施形態では、ユーザは、光音響画像の画質は高いがフレームレートが固定されないレーザマスターモードと、フレームレーは固定できるが光音響信号の画質が少し落ちる超音波マスターモードとを使い分けて使用することができる。
【００４７】
なお、上記実施形態では、プローブ１１が超音波の送受信を行い、画像生成手段２３が光音響画像と超音波画像との双方を生成可能であるものとして説明したが、超音波画像の生成は省略してもよい。また、光音響画像の生成時に、同じ位置で超音波画像の生成も行い、光音響画像と超音波画像とを重ねて表示することも可能である。その際には、双方の画像の対応する点同士が同じ位置になるように、画像を重ね合わせることが好ましい。
【００４８】
続いて、本発明の第２実施形態の光音響画像生成装置を説明する。図４は、本発明の第２実施形態の光音響画像生成装置を示す。本実施形態では、プローブ１１を走査してボリュームデータを取得する。プローブ１１は、例えば一次元に配列された複数の超音波振動子を有しており、そのようなプローブ１１を、一次元配列された複数の超音波振動子の配列方向に対してほぼ直交する方向に走査することで、ボリュームデータが取得できる。プローブ１１の走査は、機械的な走査には限定されず、電子的な走査であってもよい。例えば、プローブ１１が二次元配列された複数の超音波振動子を有する場合、二次元配列された超音波振動子を電子的に走査してボリュームデータを取得してもよい。
【００４９】
プローブ１１の走査には、例えばプローブ１１を所定の走査方向に自動的に走査するプローブ走査機構１５を用いられる。プローブ１１を自動走査しつつ、複数の位置においてパルスレーザ光の照射と光音響信号の検出とを行い、各位置において検出された光音響信号を結合することで、光音響のボリュームデータが得られる。また、プローブ１１を自動走査しつつ、複数の位置において超音波の送信と反射音響信号の検出とを行い、各位置において検出された反射音響信号を結合することで、反射超音波のボリュームデータが得られる。
【００５０】
図５は、プローブ走査機構１５の一例を示す。プローブ走査機構１５は、保持板８１、ボールねじ８２、ガイドロッド８３、及びモータ８４を含む。ボールねじ８２及びガイドロッド８３は、互いに平行になるように、例えば保持板８１に対して垂直に取り付けられている。ボールねじ８２は、らせん状に形成された凸部を有する。モータ８４は、ボールねじ８２を、一の方向、及びそれとは反対側の方向に回転させる。プローブ１１には、ボールねじ８２が貫通する孔部８０と、ガイドロッド８３が貫通する別の孔部が設けられている。
【００５１】
ここで、ボールねじ８２とガイドロッド８３とが、プローブ１１を保持する保持部を構成する。また、ボールねじ８２を回転させるモータ８４が、プローブ１１を所定の走査方向に移動させる移動手段を構成する。ボールねじ８２が貫通する孔部８０には、ボールねじ８２のらせん状の凸部に対応するらせん状の凹部（溝）が設けられており、プローブ１１は、ボールねじ８２の回転に伴って、ガイドロッド８３に沿って同図中の示すＷ方向に移動可能となっている。このようなプローブ走査機構１５を用いることで、プローブ１１の精密な走査が可能となる。
【００５２】
図４に戻り、本実施形態における超音波ユニット１２ａは、図１に示す第１実施形態における超音波ユニット１２の構成に加えて、受信メモリ４１、データ分離手段４２、及び画像合成手段４５を有する。また、画像生成手段２３に代えて、光音響画像再構成手段４３、超音波画像再構成手段４４、投影画像生成部６０、及び断層画像生成部７０を有する。光音響画像再構成手段４３、超音波画像再構成手段４４、及び断層画像生成部７０は、図１の画像生成手段２３に対応する。また、光音響画像再構成手段４３及び超音波画像再構成手段４４は、画像生成手段２３の画像再構成手段２３１に対応する。
【００５３】
受信回路２１は、プローブ１１で検出された超音波信号（光音響信号及び反射音響信号）を受信する。ＡＤ変換受信回路２１は、受信回路２１が受信した超音波信号をサンプリングし、そのサンプリングデータを受信メモリ４１に格納する。受信メモリ４１には、半導体記憶装置や磁気記憶装置などの任意の記憶装置を用いることができる。データ分離手段４２は、受信メモリ４１に格納された音響波検出信号と超音波検出信号とを分離する。データ分離手段４２は、分離した音響波検出信号を光音響画像再構成手段４３に入力し、超音波検出信号を超音波画像再構成手段４４に入力する。
【００５４】
光音響画像再構成手段４３は、光音響信号を再構成する。光音響画像再構成手段４３は、再構成した光音響信号（再構成画像）を投影画像生成部６０と断層画像生成部７０とに出力する。超音波画像再構成手段４４は、反射音響信号を再構成する。超音波画像再構成手段４４は、再構成した反射音響信号（再構成画像）を断層画像生成部７０に出力する。
【００５５】
投影画像生成部６０は、プローブ１１の複数の走査位置のそれぞれで、光音響信号の発生源を深さ方向に投影した投影画像（光音響投影画像）を生成する。投影画像生成部６０は、例えばボリュームデータの生成と並行して、走査開始から現在の走査位置までの間の部分の投影画像を生成する。投影画像生成部６０は、生成した投影画像を画像合成手段４５に出力する。
【００５６】
断層画像生成部７０は、プローブ１１の各走査位置における断層画像を生成する。断層画像生成部７０は、例えばボリュームデータの生成と並行して、現在の走査位置における断層画像を生成する。断層画像生成部７０は、光音響信号に基づいて光音響画像（光音響断層画像）を生成し、反射音響信号に基づいて超音波画像（超音波断層画像）を生成する。断層画像生成部７０は、例えば生成した光音響断層画像と超音波断層画像とを１枚の画像に合成して画像合成手段４５に出力する。
【００５７】
画像合成手段４５は、投影画像と断層画像とを、例えば１つの表示画面上に並べて配置する。例えば表示画面向かって右側に断層画像が表示され、向かって左側に投影画像が表示されるように、２つの画像を配置する。画像表示手段１４は、画像合成手段４５で生成された、投影画像と断層画像とが１つの表示画面上に並べられた画像を表示する。ボリュームデータの取得後に、取得したボリュームデータに基づいて三次元の光音響画像を生成し、三次元光音響画像を画像表示手段１４の表示面上に表示してもよい。
【００５８】
ここで、各走査位置において検出された光音響信号を結合したものを光音響ボリュームデータとするのに代えて、各走査位置における再構成された光音響信号を結合したものを光音響ボリュームデータとしてもよい。あるいは、各走査位置に対応する光音響断層画像を結合したものを光音響ボリュームデータとしてもよい。反射超音波についても同様に、各走査位置においける再構成された反射音響信号を結合したものを反射超音波ボリュームデータとしてもよいし、各走査位置に対応する超音波断層画像を結合したものを反射超音波ボリュームデータとしてもよい。
【００５９】
図６は、投影画像生成部６０及び断層画像生成部７０の詳細を示す。まず、投影画像生成部６０を説明する。投影画像生成部６０は、絶対値化手段６１、深度方向データ積分手段６２、対数変換手段６３、及び投影画像構築手段６４を含む。絶対値化手段６１は、再構成された光音響信号の絶対値を求める。深度方向データ積分手段６２は、絶対値化された光音響信号を、深さ方向（時間軸方向）に積分する。対数変換手段６３は、深さ方向に積分された光音響信号を対数変換する。この対数変換は、図１に示す対数変換手段２３３における対数変換と同様な処理でよい。投影画像構築手段６４は、対数変換された積分値に基づいて、光音響信号の発生源（光吸収体）を画像化する。投影画像構築手段６４は、例えばプローブ１１の１つの走査位置に対応して、投影画像の１ライン分の部分画像を生成する。
【００６０】
投影画像生成部６０は、例えば、プローブ１１の走査が完了してボリュームデータの取得が終了する前に、各走査位置で検出された光音響信号に基づいて、投影画像の当該走査位置に対応する部分の部分画像を生成する。例えば、プローブ１１の走査と並行して、ボリュームデータを取得しながら投影画像生成部６０にて投影画像の生成を行い、プローブ１１の走査に合わせて、その走査位置までの部分を画像化した投影画像を画像表示手段１４にリアルタイムで表示されるようにしてもよい。
【００６１】
次いで、断層画像生成部７０を説明する。断層画像生成部７０は、検波手段７１、対数変換手段７２、光音響断層画像構築手段７３、検波手段７５、対数変換手段７６、超音波断層画像構築手段７７、及び超音波／光音響画像合成手段７４を含む。検波手段７１及７５は、図１に示す検波手段２３２に対応し、対数変換手段７２及び７６は、図１に示す対数変換手段２３３に対応する。また、光音響断層画像構築手段７３及び超音波断層画像構築手段７７は、図１に示す画像構築手段２３４に対応する。超音波／光音響画像合成手段７４は、光音響断層画像と超音波断層画像とを合成する。その際、両画像を、両画像における被検体の共通部位が互いに重なる状態で重畳表示されるように合成することが好ましい。
【００６２】
なお、断層画像生成部７０にて、光音響断層画像と超音波断層画像の双方を生成するのに代えて、それらのうちの何れか一方のみを生成することとしてもよい。また、投影画像生成部６０に対して超音波再構成画像を入力し、光音響の投影画像に加えて、複数の走査位置のそれぞれで反射音響信号を深さ方向に投影した超音波投影画像を生成することとしてもよい。あるいは、光音響投影画像の生成を省略し、超音波投影画像のみを生成してもよい。
【００６３】
図４に戻り、モード切替回路２８は、ユーザが光音響のボリュームデータの取得を指示したか否かを判断する。ユーザは、図示しない操作部などを用いて、超音波ユニット１２ａに対してボリュームデータの取得を指示することができる。モード切替回路２８は、ユーザが光音響のボリュームデータの取得を指示したときは、レーザユニット１３の動作モードを第２の動作モードに設定する。モード切替回路２８は、例えばユーザが光音響の断層画像の生成を指示しているときには、レーザユニット１３の動作モードを第１の動作モードに設定する。
【００６４】
本実施形態では、モード切替回路２８は、光音響ボリュームデータの取得時は、レーザユニット１３の動作モードを第２の動作モードに設定する。第２の動作モードとすることで、レーザ光量よりもタイミングが優先され、レーザトリガから一定のタイミングで被検体に対する光照射を行うことができる。例えば所定の周期でレーザトリガ信号を出力しながら、プローブ走査機構１５を用いて一定の速度でプローブ１１を移動させることで、一定の間隔で光音響信号を取得することができる。一方、光音響ボリュームデータの取得以外では、レーザユニット１３の動作モードを第１のモードとすることで、被検体に対して照射される光の光量を優先させることができ、検出される光音響信号の信号対雑音比（Ｓ／Ｎ比）を向上させることができる。
【００６５】
また、本実施形態では、光音響波の発生源を深さ方向に投影した光音響投影画像を生成する。プローブ１１の走査と並行して光音響投影画像の生成を行い、光音響投影画像を表示画面上に表示することで、ユーザは、走査を行いながら、被検体内部の様子を知ることができる。また、本実施形態では、光音響投影画像の生成をボリュームデータの取得が完了する前に、プローブ１１の走査と並行して行っている。このように、プローブ１１を操作している途中で光音響投影画像を生成する場合、ボリュームデータの取得が完了した後に、取得したボリュームデータから投影画像を生成する場合に比して、より高速に投影画像を生成し表示することが可能である。
【００６６】
以上、本発明をその好適な実施形態に基づいて説明したが、本発明の光音響画像生成装置は、上記実施形態にのみ限定されるものではなく、上記実施形態の構成から種々の修正及び変更を施したものも、本発明の範囲に含まれる。
【符号の説明】
【００６７】
１０：光音響画像生成装置（光音響画像診断装置）
１１：超音波探触子
１２：超音波ユニット
１３：レーザユニット
１４：画像表示手段
１５：プローブ走査機構
２１：受信回路
２２：ＡＤ変換手段
２３：画像生成手段
２４：トリガ制御回路
２５：サンプリング制御回路
２６：制御手段
２７：送信制御回路
２８：モード切替回路
３１：トリガコントローラ
３２：Ｑスイッチレーザ
４１：受信メモリ
４２：データ分離手段
４３：光音響画像再構成手段
４４：超音波画像再構成手段
４５：画像合成手段
６０：投影画像生成部
６１：絶対値化手段
６２：深度方向データ積分手段
６３：対数変換手段
６４：投影画像構築手段
７０：断層画像生成部
７１、７５：検波手段
７２、７６：対数変換手段
７３：光音響断層画像構築手段
７４：超音波／光音響画像合成手段
７７：超音波断層画像構築手段
８０：孔部
８１：保持板
８２：ボールねじ
８３：ガイドロッド
８４：モータ
２３１：画像再構成手段
２３２：検波手段
２３３：対数変換手段
２３４：画像構築手段
３２１：フラッシュランプ
３２２：Ｑスイッチ
【図１】
2012187390.tif 000003
【図２】
2012187390.tif 000004
【図３】
2012187390.tif 000005
【図４】
2012187390.tif 000006
【図５】
2012187390.tif 000007
【図６】
2012187390.tif 000008